(57)【要約】【課題】型崩れを起こしたり、綿切れやキルトのパンクをできる限り防止し、比較的簡単に丸ごと全体的に洗濯することができる布団を提供する。【解決手段】繊維を細長い板状にまとめて構成した板状繊維集合体６を各板面同士が互いに合わさるとともに各縁部が平坦に並ぶように重ね合わせた多数の板状繊維集合体６で内側層６０を構成し、この内側層６０を構成する多数の板状繊維集合体６の平坦に並んだ各縁部で構成される表裏両面にそれぞれ隣接して、繊維を所定の厚さで平面的にまとめて構成された平面状繊維集合体で第１、第２の外側層７０、８０を構成し、全体を第１、第２の表面布地７１、８１と周端被覆布地９１で覆い、この覆われた布団の縁部をヘム巻端処理している。【選択図】図２
2012050772.tif 000002
【特許請求の範囲】
【請求項１】
繊維を細長い板状にまとめて構成した板状繊維集合体を各板面同士が互いに合わさるとともに各縁部が平坦に並ぶように重ね合わせた多数の板状繊維集合体で構成される内側層と、
この内側層を構成する多数の板状繊維集合体の平坦に並んだ各縁部で構成される表裏両面にそれぞれ隣接して内側層を挟むように設けられ、繊維を所定の厚さで平面的にまとめて構成された平面状繊維集合体で形成される第１および第２の外側層と、
前記内側層およびこの内側層を挟んで両側に設けられた第１および第２の外側層の全体を収納するように被覆する被覆布地と
を有することを特徴とする布団。
【請求項２】
前記被覆布地は、
前記内側層を挟んだ第１および第２の外側層の外表面をそれぞれ外側から全体的に被覆する第１および第２の表面布地と、
縁部が第１および第２の表面布地の縁部に重なるように内側層を挟んだ第１および第２の外側層の周端部全体を被覆する周端被覆布地と、
この周端被覆布地の縁部と第１および第２の表面布地の縁部とが重なった部分において当該両縁部から第１および第２の外側層の縁部を貫通して布団の全周囲を縫製する全周縫製糸と、
この全周囲を縫製された布団の第１の方向において所要の間隔で厚さ方向の全体を貫通するように縫製する第１方向縫製糸と、
全周囲を縫製された布団の第１の方向に直交する第２の方向において所要の間隔で厚さ方向の全体を貫通するように縫製する第２方向縫製糸と
を有することを特徴とする布団。
【請求項３】
前記内側層を構成する多数の板状繊維集合体は、各々が所定の割合で接着剤を混入され、接着剤で繊維同士を互いに接着するように構成されるとともに、各板状繊維集合体の各板面同士を接着して構成され、
前記第１および第２の外側層を構成する平面状繊維集合体は、所定の割合で接着剤を混入され、接着剤で繊維同士を互いに接着するように構成されていることを特徴とする請求項１または２記載の布団。
【請求項４】
前記全周縫製糸で縫製される周端被覆布地の縁部は、ヘム巻端処理で縫製されていることを特徴とする請求項３記載の布団。
【請求項５】
繊維を細長い板状にまとめて構成した板状繊維集合体を各板面同士が互いに合わさるとともに各縁部が平坦に並ぶように重ね合わせた多数の板状繊維集合体で構成される内側層と、
この内側層を構成する多数の板状繊維集合体の平坦に並んだ各縁部で構成される表裏両面の一方に隣接して設けられ、繊維を比較的薄い所定の厚さで平面的にまとめられた平面状繊維集合体で構成される第１の外側層と、
前記内側層を構成する多数の板状繊維集合体の平坦に並んだ各縁部で構成される表裏両面の他方に隣接し、前記第１の外側層との間に前記内側層を挟むように設けられ、繊維を比較的厚い所定の厚さで平面的にまとめられた平面状繊維集合体で構成される第２の外側層と、
前記内側層と第２の外側層との間に設けられ、内側層を構成する多数の板状繊維集合体の平坦に並んだ各縁部で構成される表裏両面の他方の面および第２の外側層の内側層に対向する内側の面の両方の面をそれぞれ全面的に被覆するように設けられる第１および第２の内側被覆布地と、
前記第１の外側層の外表面を被覆する第１の表面布地と、
この第１の表面布地、第１の外側層、内側層および第１の内側被覆布地を第１の布団部として縫製する第１の布団部縫製糸と、
前記第２の外側層の外表面を被覆する第２の表面布地と、
この第２の表面布地、第２の外側層および第２の内側被覆布地を第２の布団部として縫製する第２の布団部縫製糸と、
縁部が第１および第２の表面布地の縁部に重なるように第１および第２の布団部の周端部全体を両布団部が重なった状態で被覆する周端被覆布地と、
この周端被覆布地の縁部と第１および第２の表面布地の縁部とが重なった部分において両縁部から第１および第２の布団部の縁部を貫通して布団の全周囲を縫製する全周縫製糸と、
を有することを特徴とする布団。
【請求項６】
前記内側層を構成する多数の板状繊維集合体は、各々が所定の割合で接着剤を混入され、接着剤で繊維同士を互いに接着するように構成されるとともに、各板状繊維集合体の各板面同士を接着して構成され、
前記第１および第２の外側層を構成する平面状繊維集合体は、所定の割合で接着剤を混入され、接着剤で繊維同士を互いに接着するように構成されていることを特徴とする請求項５記載の布団。
【請求項７】
前記全周縫製糸で縫製される周端被覆布地の縁部は、ヘム巻端処理で縫製されていることを特徴とする請求項５または６記載の布団。
【発明の詳細な説明】
【技術分野】
【０００１】
本発明は、丸ごと洗濯することができる布団に関する。
【背景技術】
【０００２】
例えば介護施設、医療機関、宿泊施設などの施設においては、高齢者、病人、宿泊者などの利用者を宿泊させるために布団は必要不可欠のものである。このような施設で使用される布団は、さまざまな異なる利用者によって、短期間、あるいは長期間に亘って利用されることから、常に衛生的で清潔であることが求められる。
【０００３】
このような布団を常に衛生的でかつ清潔に保つためには、布団を丸ごと洗濯することが最良の方法ではあるが、従来は、布団を丸ごと洗濯することは、布団が型崩れを起こしたり、硬直化や綿切れやキルトパンクを起こすことから難しい状況であった。そのため、布団を全体的に覆っているカバーだけを洗濯し、この洗濯したカバーで布団を覆うことで清潔感を保ち、次の利用者の利用に供していた。または布団そのものについては、定期的に、乾燥機によって乾燥させたり、日光にあてて干したりすることで、衛生面での管理を行うようにしている。
【先行技術文献】
【特許文献】
【０００４】
【特許文献１】特開２００１−２５４２５９号公報
【発明の概要】
【発明が解決しようとする課題】
【０００５】
上述したように、布団のカバーだけを洗濯したり、または布団を乾燥機による乾燥や日光にあてて日干しする程度では、布団を衛生的でかつ清潔にすることは完全にできでいるとは言い難い場合も想定される。例えば、前の利用者による何らかの汚物が布団に付着し、布団の内部に侵入するなどで布団が非衛生的で汚れたままである可能性も指摘されている。
【０００６】
本発明は、上記に鑑みてなされたもので、その目的とするところは、型崩れを起こしたり、硬直化や綿切れやキルトパンクを起こすことなく、比較的簡単に丸ごと全体的に洗濯することができる布団を提供することにある。
【課題を解決するための手段】
【０００７】
上記課題を達成するため、請求項１記載の布団は、繊維を細長い板状にまとめて構成した板状繊維集合体を各板面同士が互いに合わさるとともに各縁部が平坦に並ぶように重ね合わせた多数の板状繊維集合体で構成される内側層と、この内側層を構成する多数の板状繊維集合体の平坦に並んだ各縁部で構成される表裏両面にそれぞれ隣接して内側層を挟むように設けられ、繊維を所定の厚さで平面的にまとめて構成された平面状繊維集合体で形成される第１および第２の外側層と、前記内側層およびこの内側層を挟んで両側に設けられた第１および第２の外側層の全体を収納するように被覆する被覆布地とを有することを要旨とする。
【０００８】
請求項１記載の布団では、内側層が多数の板状繊維集合体を重ね合わせて構成され、この内側層を挟むように平面状繊維集合体からなる第１、第２の外側層を設けているため、布団の厚さ方向に適度な弾力性があり、敷き布団として用いた場合には、快適な寝心地を得ることができるとともに、柔らかい平面状繊維集合体からなる第１、第２の外側層により寝心地は更に快適なものとなり、また多数の板状繊維集合体の重ね合わせる方向が布団の長手方向であり、布団の長手方向での折り曲げを容易にし、三つ折りなどに折り畳んで、運んだり、収納することが容易となることに加えて、丸ごと洗濯することができる。
【０００９】
請求項２記載の布団は、前記被覆布地が、前記内側層を挟んだ第１および第２の外側層の外表面をそれぞれ外側から全体的に被覆する第１および第２の表面布地と、縁部が第１および第２の表面布地の縁部に重なるように内側層を挟んだ第１および第２の外側層の周端部全体を被覆する周端被覆布地と、この周端被覆布地の縁部と第１および第２の表面布地の縁部とが重なった部分において当該両縁部から第１および第２の外側層の縁部を貫通して布団の全周囲を縫製する全周縫製糸と、この全周囲を縫製された布団の第１の方向において所要の間隔で厚さ方向の全体を貫通するように縫製する第１方向縫製糸と、全周囲を縫製された布団の第１の方向に直交する第２の方向において所要の間隔で厚さ方向の全体を貫通するように縫製する第２方向縫製糸とを有することを要旨とする。
【００１０】
請求項２記載の布団では、第１、第２の表面布地で第１、第２外側層の外表面を全体的に被覆し、この周端部全体を周端被覆布地で被覆してから、全周囲を全周縫製糸で縫製するとともに布団全体を貫通するように第１、第２の方向に縦横に第１、第２方向縫製糸で縫製するため、布団の中の板状繊維集合体や平面状繊維集合体がほつれたり、ばらばらになることがなく、布団全体を丸ごと、洗濯機に入れて、洗濯することができ、常に衛生的で清潔にすることができ、型崩れや綿切れやキルトのパンクを防ぎ、きれいな元の状態に戻ることができる。
【００１１】
請求項３記載の布団は、前記内側層を構成する多数の板状繊維集合体は、各々が所定の割合で接着剤を混入され、接着剤で繊維同士を互いに接着するように構成されるとともに、各板状繊維集合体の各板面同士を接着して構成され、前記第１および第２の外側層を構成する平面状繊維集合体は、所定の割合で接着剤を混入され、接着剤で繊維同士を互いに接着するように構成されていることを要旨とする。
【００１２】
請求項３記載の布団では、内側層を構成する多数の板状繊維集合体は接着剤で繊維同士を互いに接着されるとともに、各板状繊維集合体の各板面同士も接着され、外側層を構成する平面状繊維集合体は接着剤で繊維同士を互いに接着されているため、板状繊維集合体や平面状繊維集合体がほつれたり、ばらばらになったりすることが防止され、布団全体を丸ごと、洗濯機に入れて洗濯することができる。
【００１３】
請求項４記載の布団は、前記全周縫製糸で縫製される周端被覆布地の縁部が、ヘム巻端処理で縫製されていることを要旨とする。
【００１４】
請求項４記載の布団では、周端被覆布地の縁部がヘム巻端処理で縫製されているため、縁部はほつれることなく、縫製される。
【００１５】
請求項５記載の布団は、繊維を細長い板状にまとめて構成した板状繊維集合体を各板面同士が互いに合わさるとともに各縁部が平坦に並ぶように重ね合わせた多数の板状繊維集合体で構成される内側層と、この内側層を構成する多数の板状繊維集合体の平坦に並んだ各縁部で構成される表裏両面の一方に隣接して設けられ、繊維を比較的薄い所定の厚さで平面的にまとめられた平面状繊維集合体で構成される第１の外側層と、前記内側層を構成する多数の板状繊維集合体の平坦に並んだ各縁部で構成される表裏両面の他方に隣接し、前記第１の外側層との間に前記内側層を挟むように設けられ、繊維を比較的厚い所定の厚さで平面的にまとめられた平面状繊維集合体で構成される第２の外側層と、前記内側層と第２の外側層との間に設けられ、内側層を構成する多数の板状繊維集合体の平坦に並んだ各縁部で構成される表裏両面の他方の面および第２の外側層の内側層に対向する内側の面の両方の面をそれぞれ全面的に被覆するように設けられる第１および第２の内側被覆布地と、前記第１の外側層の外表面を被覆する第１の表面布地と、この第１の表面布地、第１の外側層、内側層および第１の内側被覆布地を第１の布団部として縫製する第１の布団部縫製糸と、前記第２の外側層の外表面を被覆する第２の表面布地と、この第２の表面布地、第２の外側層および第２の内側被覆布地を第２の布団部として縫製する第２の布団部縫製糸と、縁部が第１および第２の表面布地の縁部に重なるように第１および第２の布団部の周端部全体を両布団部が重なった状態で被覆する周端被覆布地と、この周端被覆布地の縁部と第１および第２の表面布地の縁部とが重なった部分において両縁部から第１および第２の布団部の縁部を貫通して布団の全周囲を縫製する全周縫製糸とを有することを要旨とする。
【００１６】
請求項５記載の布団では、多数の板状繊維集合体で構成される内側層の一方の面に平面状繊維集合体で構成される比較的薄い第１の外側層を隣接して設け、内側層の他方の面に平面状繊維集合体で構成される比較的厚い第２の外側層を隣接して設け、内側層と第２の外側層との間に第１、第２の内側被覆布地を設け、第１、第２の外側層の外表面を第１、第２の表面布地で被覆し、第１の表面布地、第１の外側層、内側層および第１の内側被覆布地を第１の布団部縫製糸で縫製して第１の布団部とし、第２の表面布地、第２の外側層および第２の内側被覆布地を第２の布団部縫製糸で縫製して第２の布団部とし、第１、第２の布団部の縁部を貫通して布団の全周囲を全周縫製糸で縫製するため、布団の厚さ方向に適度な弾力性があり、敷き布団として用いた場合には、快適な寝心地を得ることができるとともに、柔らかい平面状繊維集合体からなる外側層により寝心地は更に快適なものとなり、この平面状繊維集合体で構成される外側層として薄い方か厚い方を選択でき、また多数の板状繊維集合体の重ね合わせる方向が布団の長手方向であり、布団の長手方向での折り曲げを容易にし、三つ折りなどに折り畳んで、運んだり、収納することが容易となるとともに、布団の中の板状繊維集合体や平面状繊維集合体がほつれたり、ばらばらになることがなく、布団全体を丸ごと、洗濯機に入れて洗濯することができ、常に衛生的で清潔にすることができ、型崩れや綿切れやキルトのパンクを防ぎ、きれいな元の状態に戻すことができる。また、第１の布団部と第２の布団部に分けて、別々に独立して製造し、最後に両者を全周縫製糸１で縫い合わせればよいものであり、製造工程を簡単化でき、効率化を図ることができる。
【００１７】
請求項６記載の布団は、前記内側層を構成する多数の板状繊維集合体が、各々が所定の割合で接着剤を混入され、接着剤で繊維同士を互いに接着するように構成されるとともに、各板状繊維集合体の各板面同士を接着して構成され、前記第１および第２の外側層を構成する平面状繊維集合体が、所定の割合で接着剤を混入され、接着剤で繊維同士を互いに接着するように構成されていることを要旨とする。
【００１８】
請求項６記載の布団では、多数の板状繊維集合体および平面状繊維集合体が接着剤を混入され、接着剤で繊維同士を互いに接着するように構成され、各板状繊維集合体の各板面同士が接着されているため、板状繊維集合体や平面状繊維集合体がばらばらになったり、ほつれたりすることが防止され、布団全体を丸ごと、洗濯機に入れて洗濯することができる。
【００１９】
請求項７記載の布団は、前記全周縫製糸で縫製される周端被覆布地の縁部が、ヘム巻端処理で縫製されていることを要旨とする。
【００２０】
請求項７記載の布団は、周端被覆布地の縁部がヘム巻端処理で縫製されているため、縁部はほつれることなく縫製される。
【発明の効果】
【００２１】
本発明によれば、内側層が多数の板状繊維集合体を重ね合わせて構成され、この内側層を挟むように平面状繊維集合体からなる第１、第２の外側層を設けているので、布団の厚さ方向に適度な弾力性があり、敷き布団として用いた場合には、へたりにくく快適な寝心地を得ることができるとともに、柔らかい平面状繊維集合体からなる第１、第２の外側層により寝心地は更に快適なものとなり、また多数の板状繊維集合体の重ね合わせる方向が布団の長手方向であり、布団の長手方向での折り曲げを容易にし、三つ折りなどに折り畳んで、運んだり、収納することが容易となることに加えて、丸ごと洗濯することができる。
【００２２】
また、本発明によれば、第１、第２の表面布地で第１、第２外側層の外表面を全体的に被覆し、この周端部全体を周端被覆布地で被覆してから、全周囲を全周縫製糸で縫製するとともに布団全体を貫通するように第１、第２の方向に縦横に第１、第２方向縫製糸で縫製するので、布団の中の板状繊維集合体や平面状繊維集合体がほつれたり、ばらばらになることがなく、布団全体を丸ごと、洗濯機に入れて洗濯することができ、常に衛生的で清潔にすることができ、型崩れや綿切れやキルトのパンクを防ぎ、きれいな元の状態に戻ることができる。
【００２３】
更に、本発明によれば、多数の板状繊維集合体および平面状繊維集合体は接着剤を混入され、接着剤で繊維同士を互いに接着されるとともに、各板状繊維集合体の各板面同士も接着されているので、板状繊維集合体や平面状繊維集合体がばらばらになったり、ほつれたりすることが防止され、布団全体を丸ごと、洗濯機に入れて洗濯することができる。
【００２４】
本発明によれば、周端被覆布地の縁部がヘム巻端処理で縫製されているので、縁部はほつれることなく縫製される。
【図面の簡単な説明】
【００２５】
【図１】本発明の一実施形態に係わる布団の平面図である。
【図２】図１に示した布団の長手方向の断面を示す図である。
【図３】図１および図２に示した布団の短い横方向の、図１において線Ｂ−Ｂに沿って見た断面図である。
【図４】本発明の第２の実施形態に係る布団の表面の平面図である。
【図５】図４に示す布団の裏面の平面図である。
【図６】図４および図５に示す布団の長手方向の、図４において線Ａ−Ａに沿って見た断面図である。
【図７】図４および図５に示す布団の短い横方向の、図４において線Ｂ−Ｂに沿って見た断面図である。
【発明を実施するための形態】
【００２６】
以下、図面を用いて、本発明を実施するための形態(以下、実施形態と称する)を説明する。
【００２７】
図１は、本発明の第１の実施形態に係わる布団の平面図である。この図１に示す布団１００は、例えば横１００ｃｍ、縦２００ｃｍの平面的大きさを有し、厚さが例えば１６ｃｍ程度であって、敷き布団に適したものである。この布団１００の全周囲は、布団の外縁部に沿って、糸１で後述するようにヘム巻端処理で全体的に縫製されている。なお、このように全周囲を縫製する糸１を全周縫製糸１と称することにする。
【００２８】
また、この布団１００は、第１の方向である長手方向、すなわち図１では縦方向に４本、すなわち４箇所、糸３で布団１００全体を厚さ方向に貫通するように縫製されているとともに、この第１の方向に直交する第２の方向である横方向には２本、すなわち２箇所、糸５で同様に布団１００全体を厚さ方向に貫通するように縫製されている。この糸３および糸５をそれぞれ第１方向縫製糸３および第２方向縫製糸５と称することにする。なお、第１方向縫製糸３は、布団１００の横幅を均等に５分割した４箇所の位置において布団１００を縫製し、第２縫製糸５は、布団１００の長手方向の縦寸法を均等に３分割した２箇所の位置において布団１００を縫製しているが、この第１方向縫製糸３および第２方向縫製糸５は、布団１００の縁部まで縫製されず、縁部の少し手前で終わっている。このような縫製により、布団１００は強固に一体化される。
【００２９】
図２は、図１に示した布団１００の長手方向の断面を示す図、すなわち、図１において線Ａ−Ａに沿って見た断面図である。図２から分かるように、布団１００は、内部の中心に板状繊維集合体６を多数重ね合わせて構成される弾力性を有する内側層６０と、この内側層６０の表裏両面にそれぞれ隣接して内側層６０を挟むように設けられ、繊維を比較的薄い所定の厚さで平面的にまとめて構成される比較的柔らかい平面状繊維集合体で形成される第１および第２の外側層７０および８０とを有する。
【００３０】
内側層６０を構成する多数の板状繊維集合体６の各々は、例えばポリエステルなどの繊維を細長い板状にまとめて構成したものであって、この１枚の大きさは、例えば長さが布団１００の横幅に相当する約１００ｃｍ、高さが布団１００の厚み方向の縦幅よりも少し小さい約１０ｃｍ、厚さが約０．６乃至１．０ｃｍである。内側層６０は、この大きさが例えば約１００×１０×０．６〜１ｃｍの板状繊維集合体６を多数、各板面同士を互いに密接に合わせるとともにこのように合わせられた各板状繊維集合体６の縁部が平坦に並ぶように重ね合わせて構成され、いわゆる縦積層と称される構造をとる。
【００３１】
また、内側層６０を構成する多数の板状繊維集合体６は、各々が所定の割合、例えば１０乃至８０％程度、好適には４０乃至５０％の割合で接着剤を混入され、この接着剤で繊維同士を互いに接着してばらばらになったり、固まったりしないようにしながらもある程度の弾力性や柔軟性を有するように構成されるとともに、多数の板状繊維集合体６は、各板面同士が接着剤で接着されてまとまり、ばらばらにならないように構成されている。また、多数の板状繊維集合体６からなる内側層６０は、繊維の密度が例えば約１００ｇ／ｍ２である。
【００３２】
第１および第２の外側層７０および８０を構成する平面状繊維集合体は、所定の割合、例えば０乃至２０％程度、好適には５乃至１０％程度の割合で接着剤を混入され、この接着剤で繊維同士を互いに接着してばらばらになったり、固まったりしないようにしながらもある程度の弾力性や柔軟性を有するように構成されている。平面状繊維集合体の大きさは、例えば長さが布団１００の長さに相当する約２００ｃｍ、横幅が布団１００の横幅に相当する約１００ｃｍ、厚さが約２乃至８ｃｍ、好適には３乃至５ｃｍである。また、第１および第２の外側層７０および８０を構成する平面状繊維集合体の繊維の密度は、例えば約２００ｇ／ｍ２である。
【００３３】
また、図２に示す布団１００においても、図１で説明したように布団１００全体を厚さ方向に貫通して縫製する全周縫製糸１と第２方向縫製糸５が図示されているがわかる。
【００３４】
図３は、図１および図２に示した布団１００の短い横方向の断面を示す図、すなわち、図１において線Ｂ−Ｂに沿って見た断面図である。図２で説明したように、布団１００は、内部の中心に内側層６０が設けられ、この内側層６０の表裏両面にそれぞれ隣接して内側層６０を挟むように第１および第２の外側層７０および８０が設けられて構成されている。
【００３５】
なお、図３においては、内側層６０を構成する多数の板状繊維集合体６は、図１の線Ｂ−Ｂで示す断面のところに位置する１枚の板状体のみが平板的に図示され、多数の板状繊維集合体６が重なり合った部分は見えない。
【００３６】
また、図３に示す布団１００においても、図１で説明したように布団１００全体を厚さ方向に貫通して縫製する全周縫製糸１と第１方向縫製糸３が図示されているがわかる。
【００３７】
以上は、布団１００の内部構造について説明したが、次に布団１００全体を収納するように被覆している被覆布地について説明する。
【００３８】
この布団１００全体を覆っている被覆布地は、図２および図３から分かるように、内側層６０を挟んだ第１および第２の外側層７０および８０の外表面をそれぞれ外側から全体的に覆う側地と称する第１および第２の表面布地７１および８１と、布団１００の周端部全体をぐるりと囲むように覆っている周端被覆布地９１とから構成される。この周端被覆布地９１は、内側層６０を挟んだ第１および第２の外側層７０および８０の周端部全体を囲んで覆うとともに、周端被覆布地９１の縁部が第１および第２の表面布地７１および８１の縁部に重なっているが、この重なりにおいては、周端被覆布地９１の縁部のほつれを防止すべくヘム巻端処理され得るように内側に折り返されて重なるようになっている。
【００３９】
上述したように、布団１００を全体的に外側から覆っている第１および第２の表面布地７１および８１と周端被覆布地９１は、周端被覆布地９１の折り返された縁部と第１および第２の表面布地７１および８１の縁部とが重なった部分が図１で説明した全周縫製糸１で布団１００の外縁部に沿って布団１００の全周をヘム巻端処理するように全体的に縫製されるが、この全周縫製糸１による縫製では、周端被覆布地９１および第１、第２の表面布地７１、８１の両縁部の外側表面から第１、第２の外側層７０、８０の縁部を貫通して布団１００の全周囲を全周縫製糸１が縫製している。
【００４０】
更に、布団１００の第１の方向である長手方向において所要の間隔、好適には均等な間隔で布団１００全体を厚さ方向に貫通するように図１で説明した第１方向縫製糸３が４箇所縫製されている。また、布団１００の第１の方向に直交する第２の方向である横方向において均等な間隔で布団１００全体を厚さ方向に貫通するように図１で説明した第２方向縫製糸５が２箇所縫製されている。
【００４１】
上述したように、内側層６０および第１、第２の外側層７０、８０を収納するように被覆する周端被覆布地９１および第１、第２の表面布地７１、８１を図１に示すように全周縫製糸１および第１、第２方向縫製糸３、５で縫製して構成される布団１００は、内側層６０を構成する多数の板状繊維集合体６を布団１００の長手方向に重ね合わせるとともに、多数の板状繊維集合体６の板幅方向が布団１００の厚さ方向となるように設けられているため、布団１００の厚さ方向において適度な弾力性があり、布団１００を敷き布団として用いた場合には、洗濯した場合でも強固に一体化された状態を維持し、バラバラにならず、快適な寝心地を得ることができる。
【００４２】
また、内側層６０を挟むように内側層６０の表裏両面に隣接して、比較的柔らかい平面状繊維集合体からなる第１、第２の外側層７０、８０が設けられているため、布団１００を敷き布団として利用する場合、弾力性のある板状繊維集合体６からなる内側層６０が利用者の体に直接当たるのでなく、柔らかい平面状繊維集合体からなる第１、第２の外側層７０、８０に直接当たり、それから弾力性のある内側層６０の板状繊維集合体６に当たることになり、寝心地は更に快適なものとなる。
【００４３】
更に、内側層６０を構成する多数の板状繊維集合体６は、その重ね合わせる方向が布団１００の長手方向であるため、布団１００を長手方向に折り曲げることが比較的容易である。従って、布団１００を三つ折りなどに簡単に折り畳んで、布団１００を運んだり、収納することが容易となる。
【００４４】
上述した特徴に加えて、本実施形態の布団１００は、内側層６０を構成する多数の板状繊維集合体６が所定の割合で接着剤を混入されて繊維同士を互いに接着してほつれたり、ばらばらになったりすることを防止するとともに、多数の板状繊維集合体６が板面において互いに接着剤で接着されてまとまり、ばらばらにならないように構成されるとともに、第１、第２の外側層７０、８０を構成する平面状繊維集合体も所定の割合で接着剤を混入され、繊維同士を互いに接着してほつれたり、ばらばらになったりすることを防止するように構成される。
【００４５】
そしてさらに上述した接着剤による接着に加えて、全周縫製糸１および第１、第２方向縫製糸３、５で布団１００の縁部および平面部において縦横に縫製されているものであるため、布団の中の板状繊維集合体や平面状繊維集合体がほつれたり、ばらばらになることがなく、布団１００全体を丸ごと、例えば業務用の強力な洗濯機であっても洗濯することができる。
【００４６】
従って、汚れた布団１００でも汚れを落とし、きれいにすることができ、常に衛生的で清潔にすることができる。そして、布団１００を丸ごと洗濯機で洗濯しても、布団１００はほつれたり、型崩れを起こしたり、綿切れやキルトのパンク防止を防ぎ、きれいな元の快適な状態に戻すことができる。
【００４７】
図４乃至図７は、本発明の第２の実施形態に係る布団２００の平面乃至断面を示す図である。更に詳しくは、図４は、この第２の実施形態の布団２００の第１の面である表面の平面図であり、図５は、布団２００の第２の面である裏面の平面図であり、図６は、布団２００の長手方向の断面を示す図、すなわち、図４において線Ａ−Ａに沿って見た断面図であり、図７は、布団２００の短い横方向の断面を示す図、すなわち、図４において線Ｂ−Ｂに沿って見た断面図である。
【００４８】
この第２の実施形態の布団２００は、第１の実施形態の布団１００における第２の外側層８０の代わりに該第２の外側層８０の厚さよりも更に厚い第２の外側層２８０を使用し、この第２の外側層２８０と内側層６０との間に２枚の第１および第２の不織布２１０および２２０を設けることが大きく異なるとともに、第１の表面布地７１と第１の外側層７０と内側層６０と第１の不織布２１０とで第１の布団部を構成し、第２の不織布２２０と第２の外側層２８０と第２の表面布地８１とで第２の布団部を構成し、この第１および第２の布団部に対する縫製をそれぞれ図４および図５に示すように別々に行っている点が第１の実施形態と異なるものである。
【００４９】
なお、第１の不織布２１０と第２の不織布２２０は、接着などされず、単に隣接して配設されているものである。また、内側層６０および第１の外側層７０の繊維密度は、第１の実施形態と同じ例えば約１００ｇ／ｍ２であるが、第２の外側層２８０の繊維密度は、例えば８００ｇ／ｍ２である。
【００５０】
すなわち、第１の外側層７０、内側層６０、第１および第２の表面布地７１および８１、周端被覆布地９１は、第１の実施形態のものと同じであり、第２の外側層２８０は、第１の実施形態の第２の外側層８０の厚さを厚くしただけで、構成は同じであり、また布団２００の縁部の全周を縫製している全周縫製糸１も第１の実施形態と同じである。また、布団２００は、第１の実施形態の布団１００と同様に、例えば横１００ｃｍ、縦２００ｃｍの平面的大きさを有し、厚さが布団１００よりも少し厚く、例えば２０ｃｍ程度であって、敷き布団に適したものである。
【００５１】
第１の表面布地７１と第１の外側層７０と内側層６０と第１の不織布２１０とからなる第１の布団部は、図４に示すように、長手方向に４本、すなわち４箇所、第１方向縫製糸２０３で厚さ方向に第１の布団部のみを貫通するように縫製されるとともに、この長手方向に直交する横方向には２本、すなわち２箇所、第２方向縫製糸２０５で同様に厚さ方向に第１の布団部のみを貫通するように縫製されて構成されている。なお、この縫製位置は、第１の実施形態の図１で示した縫製位置と同じであるが、第１の実施形態において布団を長手方向に４箇所行われている縫製では、糸は布団の縁部まで縫製されず、縁部の少し手前で終わっていたが、本第２の実施形態では、糸は布団の縁部まで完全に縫製されている。
【００５２】
また、第２の不織布２２０と第２の外側層２８０と第２の表面布地８１とからなる第２の布団部は、図５に示すように、長手方向に２本、すなわち２箇所、第１方向縫製糸２２３で厚さ方向に第２の布団部のみを貫通するように縫製されるとともに、この長手方向に直交する横方向には４本、すなわち４箇所、第２方向縫製糸２２５で同様に厚さ方向に第２の布団部のみを貫通するように縫製されて構成されている。
【００５３】
上述したように縫製されて構成される第１および第２の布団部は、それぞれ別々に作られた後、図６および図７に示すように、第１の布団部の第１の不織布２１０と第２の布団部の第２の不織布２２０とを互いに合わせながら第２の布団部の上に第１の布団部を重ね、平面的には図１および図２に示すような１枚の布団のように組み合わせてから、第１、第２の両布団部の外縁部に沿って、全周縫製糸１で全体的に縫製し、１枚の布団２００として完成する。
【００５４】
なお、この全周縫製糸１による第１、第２の両布団部の外縁部に沿った縫製では、周端被覆布地９１の表面側の折り返された縁部から第１の表面布地７１の縁部、第１の外側層７０の縁部、第１の不織布２１０の縁部、第２の不織布２２０の縁部、第２の外側層２８０の縁部、第２の表面布地８１の縁部、および周端被覆布地９１の裏面側に折り返された縁部を貫通して、第１、第２の両布団部の外縁部に沿って全周囲を全周縫製糸１でヘム巻端処理するように縫製し、布団２００を完成する。
【００５５】
上述したように構成される布団２００では、内側層６０を構成する多数の板状繊維集合体６を布団２００の長手方向に重ね合わせるとともに、多数の板状繊維集合体６の板幅方向が布団２００の厚さ方向となるように設けられているため、布団２００の厚さ方向において適度な弾力性があり、布団２００を敷き布団として用いた場合には、快適な寝心地を得ることができる。
【００５６】
また、内側層６０を挟むように内側層６０の表裏両面に隣接して、比較的薄く柔らかい平面状繊維集合体からなる比較的薄い第１の外側層７０と比較的厚く柔らかい第２の外側層２８０が設けられているため、布団２００を敷き布団として利用する場合、弾力性のある板状繊維集合体６からなる内側層６０が利用者の体に直接当たるのでなく、柔らかい平面状繊維集合体からなる第１、第２の外側層７０、２８０に直接当たり、それから弾力性のある内側層６０の板状繊維集合体６に当たることになり、寝心地は更に快適なものとなるとともに、外側層として比較的薄い第１の外側層７０と比較的厚い第２の外側層２８０とがあり、いずれの外側層を上にするか下にするかを利用者の好みによって選択でき、使用方法を広げることができる。
【００５７】
更に、内側層６０を構成する多数の板状繊維集合体６は、その重ね合わせる方向が布団２００の長手方向であるため、布団２００を長手方向に折り曲げることが比較的容易である。従って、布団２００を三つ折りなどに簡単に折り畳んで、布団２００を運んだり、収納することが容易となる。
【００５８】
上述した特徴に加えて、本実施形態の布団２００は、内側層６０を構成する多数の板状繊維集合体６が所定の割合で接着剤を混入されて繊維同士を互いに接着してほつれたり、ばらばらになったりすることを防止するとともに、多数の板状繊維集合体６が板面において互いに接着剤で接着されてまとまり、ほつれたり、ばらばらにならないように構成されるとともに、第１、第２の外側層７０、２８０を構成する平面状繊維集合体も所定の割合で接着剤を混入され、繊維同士を互いに接着してほつれたり、ばらばらになったりすることを防止するように構成されることに加えて、上述したように、全周縫製糸１および第１、第２方向縫製糸２０３、２０５で第１の布団部の縁部および平面部において縦横に縫製されているとともに、全周縫製糸１および第１、第２方向縫製糸２２３、２２５で第２の布団部の縁部および平面部において縦横に縫製されているものであるため、布団２００全体を丸ごと、洗濯機に入れて、何回でも洗濯することができる。従って、汚れた布団２００でも汚れを落とし、きれいにすることができ、常に衛生的で清潔にすることができる。そして、布団２００を丸ごと洗濯機で洗濯しても、布団２００はほつれたり、型崩れを起こしたり、綿切れやキルトのパンクを防ぎ、きれいな元の状態に戻ることができる。
【００５９】
更に、本実施形態の布団２００は、第１の表面布地７１と第１の外側層７０と内側層６０と第１の不織布２１０とからなる第１の布団部と第２の不織布２２０と第２の外側層２８０と第２の表面布地８１とからなる第２の布団部の２つの布団部に分かれ、この２つの布団部を全周縫製糸１で縫製して、１つの布団２００として完成しているものであるため、布団２００の製造に当たっては、第１の布団部と第２の布団部に分けて、別々に独立して製造し、最後に両者を全周縫製糸１で縫い合わせればよいものであり、製造工程を簡単化でき、効率化を図ることができる。
【符号の説明】
【００６０】
１  全周縫製糸
３、２０３、２２３  第１方向縫製糸
５、２０５、２２５  第２方向縫製糸
６  板状繊維集合体
６０  内側層
７０  第１の外側層
７１  第１の表面布地
８０、２８０  第２の外側層
８１  第２の表面布地
９１  周端被覆布地
１００、２００  布団
２１０  第１の不織布
２２０  第２の不織布
【図１】
2012050772.tif 000003
【図２】
2012050772.tif 000004
【図３】
2012050772.tif 000005
【図４】
2012050772.tif 000006
【図５】
2012050772.tif 000007
【図６】
2012050772.tif 000008
【図７】
2012050772.tif 000009